(57)【要約】  【課題】  録画予約を有効にしたまま電源オン状態にした際に、チャンネルが循環的に切換えられているチューナの受信信号の出力を防止することができる番組記録装置を提供する。  【解決手段】  電源のオン／オフ及び録画予約待機時の電源制御を行うマイクロコンピュータ２６を備え、録画予約待機中にチューナの受信チャンネルを循環的に切換えながら各チャンネルの番組の識別情報を取得して前記識別情報に基づく録画予約を行うことが可能な番組記録装置において、マイクロコンピュータ２６は、録画予約待機状態で電源オン指示を受付けた場合、録画予約を有効にしたまま電源をオンにする。【選択図】        図１
2005204074.tif 000002
【特許請求の範囲】
【請求項１】
電源のオン／オフ及び記録予約待機の電源制御、並びに、記録予約の有効／無効の切換を行う制御部を備え、記録予約待機中にチューナの受信チャンネルを循環的に切換え各チャンネルの番組の識別情報を取得し、前記識別情報に基づく番組の記録を行うことが可能な番組記録装置において、
前記制御部は、記録予約待機状態で電源オン指示を受付けた場合、記録予約を有効にしたまま電源をオンにするように構成されていることを特徴とする番組記録装置。
【請求項２】
記録予約を有効にしたまま電源をオンにする場合、チューナが受信した信号の外部への出力を禁止する禁止手段を備えることを特徴とする請求項１記載の番組記録装置。
【請求項３】
前記禁止手段は、チューナが受信した信号を所定の表示画面信号に切換える切換手段を備えることを特徴とする請求項２記載の番組記録装置。
【請求項４】
記録データの再生が可能であり、
再生時は再生信号を選択し、再生が行われていない場合は前記所定の表示画面信号を選択する選択手段を備え、
前記切換手段は、チューナが受信した信号を、選択手段が選択した再生信号又は前記所定の表示画面信号に切換えるように構成されていることを特徴とする請求項３記載の番組記録装置。
【請求項５】
電源のオン／オフ及び記録予約待機の電源制御、並びに、記録／再生の制御を行う制御部を備える番組記録装置において、
前記制御部は、記録予約待機状態で再生の実行指示を受付けた場合、電源をオンにして、再生を開始するように構成されていることを特徴とする番組記録装置。
【請求項６】
前記制御部は、記録予約待機状態から電源をオンにして開始された再生が終了した場合、又は、前記再生の停止指示を受付けた場合、記録予約を有効にしたまま電源をオフにするように構成されていることを特徴とする請求項５記載の番組記録装置。
【発明の詳細な説明】
【技術分野】
【０００１】
本発明は、電源のオン／オフ及び記録予約待機の電源制御を行う制御部を備え、予約に基づいた番組の記録を行う番組記録装置に関する。
【背景技術】
【０００２】
ＶＣＲ（Video Cassette Recorder）、ＤＶＤ（Digital Video Disc）レコーダ、ＨＤ（Hard Disk）レコーダなどの番組記録装置の多くは、時刻及びチャンネルを指定して録画（記録）を行うタイマー録画予約に対応している。また、例えばＶＰＳ（Video Program System）信号又はＰＤＣ（Program Delivery Control）信号などの各チャンネルの各番組に付加された識別情報に基づいて録画を行う番組録画予約に対応した番組記録装置もある（例えば、特許文献１参照）。ここで、ＶＰＳ信号は、ドイツ、スイス及びオーストリアで放送される番組毎に付加されており、ＰＤＣ信号は、前記国以外の欧州各国で放送される番組毎に付加されている。番組録画予約の場合は、予約した番組の放送時間が変更された場合であっても、本来の放送時間などの番組の識別情報に基づいて、予約した番組を確実に録画できる。
【０００３】
また、ＨＤレコーダ、ＨＤレコーダとＤＶＤレコーダとの両機能を備えた装置、ＨＤレコーダとＶＣＲとの両機能を備えた装置、又は、ＶＣＲとＤＶＤレコーダとの両機能を備えた装置などにおいては、録画及び再生を同時に行うことが可能であり、録画中に、該録画中の番組を再生したり、他のコンテンツを再生することができる。
【特許文献１】特開平８−３３５３４２号公報
【発明の開示】
【発明が解決しようとする課題】
【０００４】
上述したＶＰＳ／ＰＤＣ信号などを用いた番組録画予約に対応した装置においては、番組録画予約の待機中、チューナの受信チャンネルを循環的に切換えながら各チャンネルの番組の識別情報を取得し、取得した識別情報と予約されている番組の識別情報とを比較し、一致する場合に録画を開始している。そのため、番組録画予約の待機中は、チューナの受信チャンネルが数秒間隔で循環的に切換わっている。
【０００５】
チューナの受信チャンネルが数秒間隔で循環的に切換わっている状態で、テレビなどの表示装置に出力を行った場合、表示画面が数秒間隔で切換わるため、視聴者に不快感を与えたり、故障と誤解される等の問題が生じる。そのため、番組録画予約の待機中は電源をオンにできず、例えば録画及び再生を同時に行うことが可能であっても、再生を行うことができないという問題がある。
【０００６】
本発明は斯かる事情に鑑みてなされたものであり、番組録画予約（記録予約）を有効にしたまま電源をオンにすることができる番組記録装置を提供することを目的とする。
【０００７】
また、本発明は、番組録画予約を有効にしたまま電源をオンにする場合、チャンネルが循環的に切換えられているチューナの受信信号の出力を防止することができる番組記録装置を提供することを他の目的とする。
【０００８】
また、本発明は、チューナの受信信号の出力を意図的に停止していることを報知できる番組記録装置を提供することを他の目的とする。
【０００９】
また、本発明は、番組録画予約を有効にしたまま再生処理を行うことができる番組記録装置を提供することを他の目的とする。
【００１０】
また、本発明は、記録予約待機時に再生を指示するだけで電源をオンにして再生を開始することができる番組記録装置を提供することを他の目的とする。
【００１１】
また、本発明は、記録予約待機時に開始した再生を停止するだけで、記録予約を有効にしたまま電源をオフにすることができる番組記録装置を提供することを他の目的とする。
【課題を解決するための手段】
【００１２】
本発明に係る番組記録装置は、電源のオン／オフ及び記録予約待機の電源制御、並びに、記録予約の有効／無効の切換を行う制御部を備え、記録予約待機中にチューナの受信チャンネルを循環的に切換え各チャンネルの番組の識別情報を取得し、前記識別情報に基づく番組の記録を行うことが可能な番組記録装置において、前記制御部は、記録予約待機状態で電源オン指示を受付けた場合、記録予約を有効にしたまま電源をオンにするように構成されていることを特徴とする。
【００１３】
本発明に係る番組記録装置は、記録予約を有効にしたまま電源をオンにする場合、チューナが受信した信号の外部への出力を禁止する禁止手段を備えることを特徴とする。
【００１４】
本発明に係る番組記録装置は、前記禁止手段は、チューナが受信した信号を所定の表示画面信号に切換える切換手段を備えることを特徴とする。
【００１５】
本発明に係る番組記録装置は、記録データの再生が可能であり、再生時は再生信号を選択し、再生が行われていない場合は前記所定の表示画面信号を選択する選択手段を備え、前記切換手段は、チューナが受信した信号を、選択手段が選択した再生信号又は前記所定の表示画面信号に切換えるように構成されていることを特徴とする。
【００１６】
本発明に係る番組記録装置は、電源のオン／オフ及び記録予約待機の電源制御、並びに、記録／再生の制御を行う制御部を備える番組記録装置において、前記制御部は、記録予約待機状態で再生の実行指示を受付けた場合、電源をオンにして、再生を開始するように構成されていることを特徴とする。
【００１７】
本発明に係る番組記録装置は、前記制御部は、記録予約待機状態から電源をオンにして開始された再生が終了した場合、又は、前記再生の停止指示を受付けた場合、記録予約を有効にしたまま電源をオフにするように構成されていることを特徴とする。
【００１８】
本発明においては、電源のオン／オフ及び記録予約待機の電源制御、並びに、ＶＰＳ／ＰＤＣ信号などの各番組の識別情報を用いた記録予約の有効／無効の切換を行う制御部により、記録予約待機状態で電源オン指示を受付けた場合、記録予約を有効にしたまま電源をオンにする。記録予約を有効にしたまま電源をオンすることにより、記録予約の待機時に再生処理を行うことが可能となる。なお、記録及び再生を同時に行える場合は、再生処理中に記録を開始できるため、再生中であっても予約された番組の記録を行うことができる。
【００１９】
本発明においては、ＶＰＳ／ＰＤＣ信号などの各番組の識別情報を用いた記録予約を有効にしたまま電源をオンにする場合、禁止手段により、チューナが受信した信号の外部への出力を禁止する。記録予約を行う場合は、チューナの受信チャンネルを循環的に切換えているが、禁止手段によって、チューナが受信した信号の外部への出力は禁止されるため、前記循環的に切換えられた受信チャンネルはテレビなどへ出力されない。
【００２０】
本発明においては、前記禁止手段は切換手段を備え、切換手段により、チューナが受信した信号を所定の表示画面信号に切換える。ＶＰＳ／ＰＤＣ信号などの各番組の識別情報を用いた記録予約を行う場合は、チューナの受信チャンネルを循環的に切換えているが、チューナが受信した信号を切換手段によって所定の表示画面信号に切換えて外部へ出力しているため、前記循環的に切換えられた受信チャンネルはテレビなどへ出力されない。前記所定の表示画面には、例えば意図的にチューナの受信信号の出力を停止していることを伝えるメッセージを表示することが可能である。
【００２１】
本発明においては、選択手段により、再生が行われている場合は再生信号を選択し、再生が行われていない場合は前記所定の表示画面信号を選択する。再生する記録データは、番組が記録される記録媒体に記憶されていてもよいし、それ以外の読出可能な任意の記録媒体に記録されていてもよい。前記切換手段は、チューナが受信した信号を、選択手段が選択した再生信号又は前記所定の表示画面信号に切換えて外部へ出力する。ＶＰＳ／ＰＤＣ信号などの各番組の識別情報を用いた記録予約を行う場合は、チューナの受信チャンネルを循環的に切換えているが、チューナが受信した信号を切換手段によって再生信号又は所定の表示画面信号に切換えているため、前記循環的に切換えられた受信チャンネルはテレビなどへ出力されない。
【００２２】
本発明においては、電源のオン／オフ及び記録予約待機の電源制御、並びに、記録／再生の制御を行う制御部により、記録予約待機状態で再生の実行指示を受付けた場合、電源をオンにし、再生を開始する。再生を指示するだけで電源がオンになって再生が開始される。なお、ＶＰＳ／ＰＤＣ信号などの各番組の識別情報を用いた記録予約を有効にしたまま電源をオンにする場合は、チューナの受信チャンネルが循環的に切換わっているが、電源オン後に再生が開始されるため、前記循環的に切換わった受信チャンネルは出力されない。また、記録及び再生を同時に行える場合は、再生処理中に記録を開始できるため、記録予約を有効にしたまま再生を行い、予約された番組の記録を再生中に行うことができる。
【００２３】
本発明においては、記録予約待機状態から電源をオンにして開始された再生が終了した場合、又は、前記再生の停止指示を受付けた場合、制御部の制御により、電源オンの状態から記録予約待機が有効な電源オフの状態になる。再生が終了又は停止した際は、自動的に電源がオフ（記録予約は有効）になる。
【発明の効果】
【００２４】
本発明によれば、ＶＰＳ／ＰＤＣ信号などの各番組の識別情報を用いた記録予約を有効にしたまま電源をオンにすることにより、記録予約待機中に再生処理を行うことが可能となり、ユーザの利便性が向上する。
【００２５】
本発明によれば、ＶＰＳ／ＰＤＣ信号などの各番組の識別情報を用いた記録予約を有効にしたまま電源をオンする場合、チャンネルが循環的に切換えられているチューナの受信信号のテレビなどへの出力を禁止手段で禁止することにより、視聴者に不快感を与えたり、故障と誤解されることを防止できる。
【００２６】
本発明によれば、チューナが受信した信号を切換手段で所定の表示画面信号に切換えることにより、チャンネルが循環的に切換えられているチューナの受信信号の出力を防止できる。また、所定の表示画面によって、チューナの受信信号を意図的に停止していることを報知することができる。
【００２７】
本発明によれば、チューナが受信した信号を切換手段によって再生信号又は所定の表示画面信号に切換えることにより、再生中及び再生停止中に、チャンネルが循環的に切換えられているチューナの受信信号のテレビなどへの出力を防止できる。
【００２８】
本発明によれば、記録予約が有効な電源オフ中に再生を指示するだけで電源をオンにして再生を開始することができ、ユーザの利便性及び操作性が向上する。勿論、電源オン中も記録予約待機状態は継続される。また、ＶＰＳ／ＰＤＣ信号などの各番組の識別情報を用いた記録予約を行う場合は、電源オン後に再生が開始されるため、チャンネルが循環的に切換えられているチューナの受信信号のテレビなどへの出力を防止できる。
【００２９】
本発明によれば、記録予約待機時に開始された再生が終了又は停止された場合、記録予約を有効にしたまま自動的に電源をオフにすることにより、ユーザの利便性が向上する。
【発明を実施するための最良の形態】
【００３０】
以下、本発明をその実施の形態を示す図面に基づいて具体的に説明する。本説明では、各チャンネルの各番組の識別情報としてＶＰＳ／ＰＤＣ信号を用いる場合を例にして説明を行う。図１は本発明に係る番組記録装置の例を示すブロック図である。
【００３１】
番組記録装置は、入力端子１（１０）と、入力端子２（１２）と、チューナ１４と、入力端子１（１０）、入力端子２（１２）及びチューナ１４が入力側に接続された入力切換部１６と、入力切換部１６の出力側に接続されたＶＰＳ／ＰＤＣ信号検出部１８及び記録部２０と、記録部２０に接続された記録媒体２２と、記録媒体２２に接続された再生部２４と、入力切換部１６の出力側及び再生部２４が入力側に接続された出力切換部３０と、出力切換部３０の出力側に接続された出力端子３２と、装置内各部に接続されたマイクロコンピュータ２６と、マイクロコンピュータ２６に接続された操作受付部２８と、装置内各部に接続された電源制御部３４とを備える。
【００３２】
マイクロコンピュータ２６は、ＲＡＭ及びＲＯＭを備える。ＲＯＭには、マイクロコンピュータ２６が実行する制御プログラム、制御に用いる各種データ、代替画面などが記憶されている。マイクロコンピュータ２６は、チューナ１４、入力切換部１６、ＶＰＳ／ＰＤＣ信号検出部１８、記録部２０、再生部２４、出力切換部３０、及び電源制御部３４と接続され、前記各部の制御などを行う。また、ＲＡＭには、ＶＰＳ／ＰＤＣ信号などの各番組の識別情報を用いた番組録画予約（記録予約）などの録画予約に関する録画予約情報、各種設定情報などが記憶される。
【００３３】
電源制御部３４は、外部の電源コンセントなどに接続されており、電圧レベルの変換及びＡＣ／ＤＣ変換などを行って、配線Ｌ０によりマイクロコンピュータ２６への電力供給を行い、配線Ｌ１によりチューナ１４、入力切換部１６、ＶＰＳ／ＰＤＣ信号検出部１８への電力供給を行い、また、配線Ｌ２によりその他の部分への電力供給を行う。配線Ｌ１，Ｌ２の各電力供給のオン／オフはマイクロコンピュータ（制御部）２６によって制御される。また、配線Ｌ０によるマイクロコンピュータ２６への電力供給は常時行われている。
【００３４】
操作受付部２８は、本装置に設けられた操作キーから操作入力を受付けたり、遠隔操作装置（リモコン）から操作入力信号を受付ける。操作受付部２８が受付けた操作入力は、マイクロコンピュータ２６に送られ、操作入力に応じた処理が実行される。
【００３５】
入力端子１（１０）、２（１２）には、例えば再生装置又は外付チューナなどの出力端子が接続される。また、チューナ１４には、例えばアンテナなどの受信機器の出力端子が接続される。チューナ１４の受信チャンネルの切換などはマイクロコンピュータ２６によって制御される。入力切換部１６は、出力を複数入力の何れかに切換える電気的又は機械的なスイッチであり、入力端子１（１０）、２（１２）及びチューナ１４から受取った信号の何れか１つが、入力切換部１６から出力される。入力切換部１６が出力する信号の切換は、マイクロコンピュータ２６によって制御される。
【００３６】
記録部２０は、入力切換部１６から出力された信号の記録媒体２２への記録処理を行う。記録処理の制御はマイクロコンピュータ２６によって行われる。記録部２０は、例えばＭＰＥＧデータへのエンコード処理、及び、記録媒体２２への書込処理などの記録処理を行う。
【００３７】
再生部２４は、記録媒体２２に記録されている記録データ又はＲＯＭ３６に記憶されている代替画面などの記録データの再生処理を行う。再生処理の制御はマイクロコンピュータ２６によって行う。再生部２４は、例えば記録媒体２２からの読出処理及びＭＰＥＧデータのデコード処理などの再生処理を行う。
【００３８】
ここで、記録媒体２２は、例えばハードディスクのような本装置内蔵の記録媒体を用いたり、ＤＶＤ−ＲＡＭなどの本装置から取出可能な記録媒体を用いたり、ハードディスクのような本装置内蔵の記録媒体、ＤＶＤ−ＲＡＭなどの本装置から取出可能な記録媒体、及びビデオテープなどの本装置から取出可能な記録媒体の何れか複数を組合わせて用いることが可能である。また、記録媒体２２として、ＤＶＤ−ＲＯＭなどの読出専用の記録媒体と、ハードディスク、ＤＶＤ−ＲＡＭ、ＤＶＤ−Ｒ、ＤＶＤ−ＲＷなどの読出及び書込が可能な記録媒体とを組合わせて用いることも可能である。
【００３９】
記録媒体２２がハードディスク又はＤＶＤ−ＲＡＭである場合は、記録部２０による記録処理と再生部２４による再生処理とを同時に行うことが可能である。また、記録媒体２２が、ハードディスクとビデオテープとの組合わせの場合、又は、ＤＶＤ−ＲＷなどの書込可能な光記録メディアとビデオテープとの組合わせの場合は、例えばビデオテープの再生と、ハードディスク又はＤＶＤ−ＲＷの記録とを同時に行うことが可能である。また、記録媒体２２が、ＤＶＤ−ＲＯＭなどの読出専用の光記録メディアとビデオテープとの組合わせの場合は、記録部２０によるビデオ記録処理と再生部２４によるＤＶＤ再生処理とを同時に行うことが可能である。
【００４０】
また、入力切換部１６からチューナ１４の受信信号が出力されている場合、ＶＰＳ／ＰＤＣ信号検出部１８によって、受信信号に含まれているＶＰＳ／ＰＤＣ信号を検出することができる。検出したＶＰＳ／ＰＤＣ信号は、マイクロコンピュータ２６に送られる。
【００４１】
出力切換部３０は、出力を複数入力の何れかに切換える電気的又は機械的なスイッチであり、入力切換部１６又は再生部２４から送られた信号の何れかを出力端子３２に出力する。出力切換部３０が出力する信号の切換は、マイクロコンピュータ２６によって制御される。出力端子３２は、例えばテレビなどの表示装置の入力端子と接続され、出力切換部３０から出力された信号は、テレビなどに表示される。
【００４２】
電源オフ時は、マイクロコンピュータ２６の制御によって、配線Ｌ１、Ｌ２による電力供給は停止される。また、電源オン時は、マイクロコンピュータ２６の制御によって、配線Ｌ１、Ｌ２による電力供給が行われる。
【００４３】
また、ＶＰＳ／ＰＤＣ信号などの各番組の識別情報を用いる番組録画予約の待機中の電源オフ時は、マイクロコンピュータ２６の制御により、電源制御部３４から配線Ｌ１によりチューナ１４、入力切換部１６、ＶＰＳ／ＰＤＣ信号検出部１８への電力供給は行われるが、配線Ｌ２によるその他の部分への電力供給は行われず、また、入力切換部１６の出力はチューナ１４からの信号に切換えられ、チューナ１４の受信チャンネルは数秒間隔で循環的に切換えられる。ＶＰＳ／ＰＤＣ信号検出部１８は、数秒間隔で循環的に切換えられる各受信チャンネルからＶＰＳ／ＰＤＣ信号を取得し、取得したＶＰＳ／ＰＤＣ信号をマイクロコンピュータ２６に送る。
【００４４】
マイクロコンピュータ２６は、ＶＰＳ／ＰＤＣ信号検出部１８が取得したＶＰＳ／ＰＤＣ信号と、予約されている番組情報とを比較して、一致する場合は、電源制御部３４を制御して電源をオンに（電源制御部３４による配線Ｌ２の電力供給を開始）し、記録部２０を制御して、録画（記録）を開始させる。そして、ＶＰＳ／ＰＤＣ信号に基づく放送終了時刻になった場合、マイクロコンピュータ２６は、記録部２０の記録を終了させ、電源をオフ（番組録画予約が有効な場合は電源制御部３４による配線Ｌ２の電力供給を停止）する。
【００４５】
マイクロコンピュータ（制御部）２６は、番組録画予約（記録予約）待機状態で電源オン指示を受付けた場合、番組録画予約を有効にしたまま電源をオンにする。また、出力切換部３０は、番組録画予約を有効にしたまま電源がオンされた場合、チューナ１４が受信した信号の外部への出力を禁止する手段（禁止手段）として動作する。また、再生部２４は、再生が行われている場合は再生信号を出力し、再生が行われていない場合は代替画面信号（所定の表示画面信号）を出力する手段（選択手段）として動作する。本説明では、出力切換部（禁止手段、切換手段）３０は、チューナ１４が受信した信号を、再生部２４が出力する再生信号又は代替画面信号に切換えることにより、チューナ１４が受信した信号の外部への出力を禁止している。
【００４６】
ここで、代替画面は、静止画又は動画であり、例えば番組録画予約のために、チューナ１４の受信信号が出力停止になっていることを報知するメッセージを含んだ表示画面を用いることが可能である。再生部２４は、マイクロコンピュータ２６の制御により、マイクロコンピュータ２６のＲＯＭに記憶されている代替画面を再生し、代替画面信号を出力切換部３０に送る。なお、代替画面は、例えばハードディスクなどの記録媒体２２に記録しておくことも可能である。
【００４７】
次に、ＶＰＳ／ＰＤＣ信号などの各番組の識別情報を用いる番組録画予約の待機中に電源をオンにし、さらに再生を行う場合の動作について説明する。番組録画予約の待機中に、操作受付部２８が電源オン指示を受付けた場合、受付けた電源オン指示はマイクロコンピュータ２６に送られ、マイクロコンピュータ２６の制御により、電源制御部３４の配線Ｌ２による電力供給が開始され、電源オンの状態となる。また、マイクロコンピュータ２６の制御により、出力切換部３０は再生部２２側に切換わり、再生部２２はＲＯＭに記憶されている代替画面の再生処理を行う。
【００４８】
図２は、番組録画予約の待機中に電源をオンにした場合の出力切換部３０及び再生部２２の動作を概念的に示すブロック図である。番組録画予約の待機中に電源をオンした場合は、図２に示すように、入力切換部１６から送られる、各チャンネルを数秒間隔で循環的に切換えた信号の代わりに、再生部２２で再生された代替画面信号が出力切換部３０から出力端子３２へ出力される。
【００４９】
また、操作受付部２８が再生指示を受付けた場合、受付けた再生指示はマイクロコンピュータ２６に送られ、マイクロコンピュータ２６の制御により、再生部２２は記録媒体２２の再生処理を行う（図２において、再生部２２の再生ソースが、代替画面（マイクロコンピュータ２６のＲＯＭ）から記録媒体２２に切換わる）。この場合、入力切換部１６から送られる、各チャンネルを数秒間隔で循環的に切換えた信号の代わりに、再生部２２による再生信号が出力切換部３０から出力端子３２へ出力される。
【００５０】
再生中に操作受付部２８が再生停止指示を受付けた場合、又は、再生が終了した場合は、マイクロコンピュータ２６の制御により、再生部２２はＲＯＭに記憶されている代替画面の再生処理を行う（図２において、再生部２２の再生ソースが、記録媒体２２から代替画面（マイクロコンピュータ２６のＲＯＭ）に切換わる）。この場合、入力切換部１６から送られる、各チャンネルを数秒間隔で循環的に切換えた信号の代わりに、再生部２２で再生された代替画面信号が出力切換部３０から出力端子３２へ出力される。
【００５１】
また、操作受付部２８が電源オフ指示を受付けた場合、受付けた電源オフ指示はマイクロコンピュータ２６に送られ、マイクロコンピュータ２６の制御により、電源制御部３４の配線Ｌ２による電力供給が停止され、録画予約（記録予約）を有効にしたまま電源オフとなる。
【００５２】
なお、電源オン後も番組録画予約は有効であり、本説明の番組記録装置は録画及び再生を同時に行うことが可能であるため、予約番組の放送が開始された場合は、再生中又は再生停止中に関係無く、マイクロコンピュータ２６の制御によって、予約番組の録画が開始される。
【００５３】
上述した実施の形態においては、チューナ１４から入力切換部１６を経由して送られる、各チャンネルが数秒間隔で循環的に切換えられた信号の代わりに、再生部２２で再生された代替画面信号（所定の表示画面信号）を出力したが、再生部２４以外の装置で生成された代替画面信号を出力することも可能である。図３は、入力切換部１６から送られる、各チャンネルを数秒間隔で循環的に切換えた信号を、代替画面発生部３８が出力する代替画面信号に切換える番組記録装置の例を示すブロック図である。また、図４は、番組録画予約の待機中に電源をオンにした場合の図３に示す出力切換部３０の動作を概念的に示すブロック図である。
【００５４】
図３に示す番組記録装置の構成は、図１に示した番組記録装置と同様であるが、マイクロコンピュータ２６のＲＯＭに代替画面は記憶されておらず、また、出力切換部３０の入力側には、代替画面信号を出力する代替画面発生部３８が新たに接続されている。
【００５５】
マイクロコンピュータ（制御部）２６は、ＶＰＳ／ＰＤＣ信号などの各番組の識別情報を用いる番組録画予約（記録予約）待機状態で電源オン指示を受付けた場合、番組録画予約を有効にしたまま電源をオンにする。また、出力切換部３０は、番組録画予約を有効にしたまま電源がオンされた場合、チューナ１４が受信した信号の外部への出力を禁止する手段（禁止手段）として動作する。本説明では、出力切換部（禁止手段、切換手段）３０は、チューナ１４が受信した信号を、代替画面発生部３８が出力する代替画面信号に切換えることにより、チューナ１４が受信した信号の外部への出力を禁止している。
【００５６】
また、出力切換部３０は、再生部２２によって再生が行われている場合は再生信号を選択し、再生が行われていない場合は代替画面信号を選択する手段（選択手段）として動作する。出力切換部３０は、チューナ１４が受信した信号を、再生部２４が出力する再生信号、又は、代替画面発生部３８が出力する代替画面信号に切換える。
【００５７】
出力切換部３０は、マイクロコンピュータ２６の制御によって、入力切換部１６、再生部２４、及び代替画面発生部３８から送られた各信号の何れかを出力端子３２へ出力する。番組録画予約の待機中に電源をオンにした場合、図４に示すように、マイクロコンピュータ２６の制御によって、出力切換部３０は代替画面発生部３８側に切換わる。また、再生部２２が再生を開始した場合は、マイクロコンピュータ２６の制御によって、出力切換部３０は再生部２２側に切換わる。さらに、再生が停止又は終了になった場合は、マイクロコンピュータ２６の制御によって、出力切換部３０は代替画面発生部３８側に切換わる。
【００５８】
上述した各実施の形態においては、チューナ１４から入力切換部１６を経由して送られる、各チャンネルが数秒間隔で循環的に切換えられた信号の代わりに、代替画面信号を出力したが、代替画面信号を出力せずに、無信号状態にすることも可能である。図５は、入力切換部１６から送られる、各チャンネルを数秒間隔で循環的に切換えた信号の出力を禁止して無信号状態にする番組記録装置の例を示すブロック図である。また、図６は、番組録画予約の待機中に電源をオンにした場合の図５に示す出力切換部３０の動作を概念的に示すブロック図である。
【００５９】
図５に示す番組記録装置の構成は、図１に示した番組記録装置と同様であるが、マイクロコンピュータ２６のＲＯＭに代替画面は記憶されていない。また、ＶＰＳ／ＰＤＣ信号などの各番組の識別情報を用いる番組録画予約の待機中に電源をオンにした場合、図２と同様に、マイクロコンピュータ２６の制御によって、出力切換部３０は再生部２２側に切換わる。再生部２２が再生を行っている場合は、再生信号が出力切換部３０を経由して出力端子３２から出力されるが、再生が行われていない場合は、無信号状態となる。ただし、出力が無信号状態の場合は、ブルースクリーン（ブルー画面）信号が出力端子３２から出力される場合が多い。
【００６０】
上述した各実施の形態においては、ＶＰＳ／ＰＤＣ信号などの各番組の識別情報を用いる番組録画予約を例にして説明を行ったが、ＶＰＳ／ＰＤＣ信号を用いた番組録画予約に加えて、時刻及びチャンネルを指定するタイマー録画予約を行うことも勿論可能である。ただし、ＶＰＳ／ＰＤＣ信号を使用しないタイマー録画予約の場合は、録画予約待機中にチューナ１４を制御して、各チャンネルを数秒間隔で循環的に切換える必要は無いため、電源がオンされても代替画面を出力したり、無信号状態にする必要は無い。
【００６１】
番組録画予約とは異なり各チャンネルを数秒間隔で循環的に切換える必要の無いタイマー録画予約などの他の録画予約も可能な場合は、録画予約待機中に電源がオンされた場合、マイクロコンピュータ（制御部）２６は、ＶＰＳ／ＰＤＣ信号などの各番組の識別情報を用いる番組録画予約が行われているか否かを確認し、番組録画予約が行われている場合は、上述した代替画面の出力、又は、無信号状態への切換を行う。
【００６２】
一方、番組録画予約が行われていない場合、マイクロコンピュータ２６は、単に電源をオンにする（配線Ｌ２による電力供給を行う）。この場合、チューナ１４から入力切換部１６に送られる受信信号は、各チャンネルを数秒間隔で循環的に切換えることは行われておらず、前回視聴したチャンネルなどの受信信号がテレビなどへ出力される（図２，４，６において、出力切換部３０は入力切換部１６からの信号を選択）。また、再生を行った場合は、再生信号がテレビなどへ出力される。なお、番組録画予約が行われていない場合は、電源オフ（録画予約は有効）時の配線Ｌ１による電力供給を停止しても構わない。
【００６３】
上述した各実施の形態においては、録画予約待機状態に電源オン指示を受付けた場合を例にして説明したが、録画予約待機状態で再生指示を受付けた場合に、マイクロコンピュータ２６の制御によって、電源をオンにして再生を開始することも可能である。また、前記再生が終了した場合又は再生停止指示を受付けた場合に、マイクロコンピュータ２６の制御によって、電源オン状態から録画予約（記録予約）を有効にしたまま電源オフにすることも可能である。この場合、録画予約待機状態を継続しつつ電源をオンにして再生を開始するため、電源オン後は出力端子３２から再生信号が出力され、前記再生が終了又は停止した場合は録画予約待機状態を継続しつつ電源オフになるため、出力端子３２からは再生部２４の再生信号しか出力されない。そのため、ＶＰＳ／ＰＤＣ信号などの各番組の識別情報を用いる番組録画予約を有効にしたまま電源をオンにする場合であっても、チューナ１４からの信号は出力されず、代替画面又は無信号状態は不要となる。以下、図５に示した番組記録装置を例にして、録画予約待機状態で再生指示を受付けた場合の再生処理について説明する。
【００６４】
図７は、録画予約待機状態（電源はオフ）で再生指示を受付けた場合の再生処理手順の例を示すフローチャートである。操作受付部２８が受付けた再生指示（Ｓ１０）はマイクロコンピュータ２６に送られ、マイクロコンピュータ（制御部）２６の制御によって、電源制御部３４の配線Ｌ２による電力供給が開始され、電源がオンの状態になる（Ｓ１４）。続けて、マイクロコンピュータ２６の制御によって、出力切換部３０は再生部３０側に切換えられ、記録媒体２２に記録されているデータの再生処理が再生部２４によって開始される（Ｓ１６）。電源オン後は再生部２４からの再生信号が出力端子３２から出力される。
【００６５】
なお、電源オン後も録画予約が有効な場合、本説明の番組記録装置は録画及び再生を同時に行うことが可能であるため、予約番組の放送が開始された際は、マイクロコンピュータ２６の制御によって、予約番組の録画が開始される。
【００６６】
操作受付部２８が再生停止指示を受付けず（Ｓ１８：ＮＯ）、再生が終了していない場合（Ｓ２０：ＮＯ）、再生処理が継続される。操作受付部２８が再生停止指示を受付けた場合（Ｓ１８：ＹＥＳ）、又は、再生が終了した場合（Ｓ２０：ＹＥＳ）、マイクロコンピュータ２６の制御によって、再生が停止された後、電源制御部３４の配線Ｌ２による電力供給が停止され、録画予約を有効にしたまま電源オフとなる（Ｓ２４）。なお、電源オン後も録画予約が有効であり、再生中に予約番組の録画が開始された場合は、録画が終了した後に電源オフ又は録画予約待機状態になる。
【００６７】
図７に示した録画予約待機状態で再生指示を受付けた場合の再生処理は、ＶＰＳ／ＰＤＣ信号などの各番組の識別情報に基づく番組録画予約に限定はされず、時刻及びチャンネルに基づくタイマー録画予約などの任意の録画予約に適用することが可能である。また、電源オン及び電源オン後の再生は、録画予約を有効にしたまま行ったり、録画予約を無効にして行うことが可能である。
【００６８】
上述した各実施の形態においては、録画予約待機中にチューナの受信チャンネルを循環的に切換えながら各チャンネルの番組のＶＰＳ／ＰＤＣ信号（識別情報）を取得する場合を例にして説明したが、ＶＰＳ／ＰＤＣ信号に限定はされず、録画予約待機中にチューナの受信チャンネルを循環的に切換えながら各チャンネルの番組の識別情報を取得して前記識別情報に基づく番組の録画を行う任意の装置に本発明を適用することが可能である。
【図面の簡単な説明】
【００６９】
【図１】本発明に係る番組記録装置の例を示すブロック図である。
【図２】番組録画予約の待機中に電源をオンにした場合の出力切換部及び再生部の動作を概念的に示すブロック図である。
【図３】入力切換部から送られる、各チャンネルを数秒間隔で循環的に切換えた信号を、代替画面発生部が出力する代替画面信号に切換える番組記録装置の例を示すブロック図である。
【図４】番組録画予約の待機中に電源をオンにした場合の出力切換部の動作を概念的に示すブロック図である。
【図５】入力切換部から送られる、各チャンネルを数秒間隔で循環的に切換えた信号の出力を禁止して無信号状態にする番組記録装置の例を示すブロック図である。
【図６】番組録画予約の待機中に電源をオンにした場合の出力切換部の動作を概念的に示すブロック図である。
【図７】録画予約待機状態で再生指示を受付けた場合の再生処理手順の例を示すフローチャートである。
【符号の説明】
【００７０】
１４  チューナ
１６  入力切換部
１８  ＶＰＳ／ＰＤＣ信号検出部
２０  記録部
２４  再生部
２６  マイクロコンピュータ
３０  出力切換部
３４  電源制御部
３８  代替画面発生部
【図１】
2005204074.tif 000003
【図２】
2005204074.tif 000004
【図３】
2005204074.tif 000005
【図４】
2005204074.tif 000006
【図５】
2005204074.tif 000007
【図６】
2005204074.tif 000008
【図７】
2005204074.tif 000009